(57)【特許請求の範囲】
【請求項１】
平板状の金属板を折り曲げて縦断面略逆Ｕ字状にした側面部材の底部に平面板状の底面部材を取付けて前後に開口した筒状胴体を形成し、この筒状胴体の前後の開口にそれぞれ取り付ける蓋体のうち、少なくとも一方の蓋体に投入口を設けると共に、少なくとも一方の蓋体をその下端部分に取り付けた蓋体側ヒンジ金具と底面部材に取り付けた胴体側ヒンジ金具との軸着によって筒状胴体の開口に開閉自在に設けてこの開口を取出口にしたポストにおいて、筒状胴体の前後の開口縁に金属板を板金加工してなる剛性補強用の開口枠を設け、この開口枠の一端を上記筒状胴体の前後の開口の内周面に重ねた状態にしてシーミング加工をすることで、開口枠と筒状胴体とが幾重にも折り重なる厚肉部を形成しつつ開口枠を筒状胴体の開口の全周に亙って固定し、開口枠の全周に亙って突設した剛性補強用の補強リブにおけるポストの下部に位置する部分を、その突出先端で折り返して２重に重ねて肉厚を厚くすることで、ポストの上部に位置する補強リブに比べて開口中心への突出量を小さく形成し、このポストの下部に位置する補強リブが内部に位置される補強リブ収納溝を胴体側ヒンジ金具に形成して胴体側ヒンジ金具の一端を筒状胴体の外方部分に位置させ、この筒状胴体の外方部分に位置する胴体側ヒンジ金具の部位に軸孔を設け、この胴体側ヒンジ金具の軸孔と蓋体側ヒンジ金具に設けた軸孔とに軸心を挿通させて、胴体側ヒンジ金具と蓋体側ヒンジ金具とを軸着することで、取出口に設けた蓋体を筒状胴体の開口よりも外側に配置したことを特徴とするポスト。
【請求項２】
筒状胴体における取出口にしない開口を塞ぐための蓋体を、開口枠の補強リブに固定したことを特徴とする請求項１に記載のポスト。
【請求項３】
取出口に設けた蓋体に投入口を設けると共に、この投入口の上部に庇片を前方に突設し、蓋体の開閉用の取っ手を上記庇片で構成したことを特徴とする請求項１に記載のポスト。
【請求項４】
投入口を設けた蓋体に、投入口からポスト内に侵入した雨水を受けて滴り落とす樋部材を設け、上記樋部材から滴り落ちた雨水をポスト外に流す排水口を設けたことを特徴とする請求項１に記載のポスト。
【請求項５】
ポストの上部を構成する側面部材の上面を覆う屋根部材を被せて取付け、上記屋根部材の端部を側面部材よりも外方に突出させたことを特徴とする請求項１に記載のポスト。
【請求項６】
筒状胴体の取出口を開閉する蓋体の枢支側と反対の自由端には蓋体側錠取付材をポスト外に突出するように取り付けると共に、筒状胴体の開口枠には胴体側錠取付材をポスト外に突出するように取り付け、この蓋体が取出口を閉じた状態で、蓋体側錠取付材と胴体側錠取付材とが重なり合うようにすると共に、蓋体側錠取付材及び胴体側錠取付材にそれぞれ設けた錠通し孔を連通するようにしたことを特徴とする請求項１に記載のポスト。
【発明の詳細な説明】
【０００１】
【発明の属する技術分野】
本発明は、ポストに関する発明である。
【０００２】
【従来の技術及び発明が解決しようとする課題】
従来から、ポストは、図１４及び図１５に示すように、ダイカスト等の鋳造によって縦断面略逆Ｕ字板状の側面部材１を形成し、この側面部材１の底部に矩形板状の底面部材２を一体化して前後に開口した筒状胴体３を形成し、この筒状胴体３の前後の開口４，５にそれぞれ蓋体（前部蓋体６、後部蓋体７）を取付けて構成される。図８，９には、たとえば、前部蓋体６を筒状胴体３の前部開口４に固定すると共にこの前部蓋体６に投入口８を設け、後部蓋体７を筒状胴体３の後部開口５に固定すると共にこの後部蓋体７に開閉自在な取出し扉７ａを設け、この取出し扉７ａを開閉することで後部開口５を取出口９としたポストを示している。
【０００３】
この構成を有するポストは、側面部材１が鋳造品によって形成されていることから、鋳造品である側面部材１によりポストに強い剛性を持たせることができる反面、該鋳造品である側面部材１の製造コストがかかってしまうといった問題を有している。つまり、ポストには寸法等が異なる各種のポストがあり、近年では多品種のポストを少量ずつ製造するといった多品種少量生産が多く行われている。上述した側面部材１を鋳造品にて構成する場合には、種類に応じて金型が必要になるから、製造コストがかかってしまうのである。
【０００４】
なお、一般的に集合住宅などではプライバシー保護の観点からポストに南京錠などの錠を取り付けることが行われているが、この錠を引っ張ったりするとポストに引張り荷重がかかりポストが壊れてしまう恐れもあり、ポストにはある程度の強度が要求されているのである。
【０００５】
本発明は上記の点に鑑みてなされたものであり、その目的としては、多品種少量生産によっても製造コストの低減化が図られるポストを提供することを課題とし、また、他の目的としては、ポストに取り付けた南京錠等の錠を引っ張ったときにも損傷を軽微に済ますことのできるポストを提供することを課題とするものである。
【０００６】
【課題を解決するための手段】
上記課題を解決するために本発明に係るポストは、平板状の金属板を折り曲げて縦断面略逆Ｕ字状にした側面部材１の底部に平面板状の底面部材２を取付けて前後に開口した筒状胴体３を形成し、この筒状胴体３の前後の開口４，５にそれぞれ取り付ける蓋体６，７のうち、少なくとも一方の蓋体に投入口８を設けると共に、少なくとも一方の蓋体をその下端部分に取り付けた蓋体側ヒンジ金具２２と底面部材２に取り付けた胴体側ヒンジ金具２０との軸着によって開口に開閉自在に設けてこの開口を取出口９にしたポストにおいて、筒状胴体３の前後の開口縁に金属板を板金加工してなる剛性補強用の開口枠１０を設け、この開口枠１０の一端を上記筒状胴体３の前後の開口の内周面に重ねた状態にしてシーミング加工をすることで、開口枠１０と筒状胴体３とが幾重にも折り重なる厚肉部１８を形成しつつ開口枠１０を筒状胴体３の開口の全周に亙って固定し、開口枠１０の全周に亙って突設した剛性補強用の補強リブ１１におけるポストの下部に位置する部分を、その突出先端で折り返して２重に重ねて肉厚を厚くすることで、ポストの上部に位置する補強リブ１１に比べて開口中心への突出量を小さく形成し、このポストの下部に位置する補強リブ１１が内部に位置される補強リブ収納溝２７を胴体側ヒンジ金具２０に形成して胴体側ヒンジ金具２０の一端を筒状胴体３の外方部分に位置させ、この筒状胴体３の外方部分に位置する胴体側ヒンジ金具２０の部位に軸孔２４を設け、この胴体側ヒンジ金具２０の軸孔２４と蓋体側ヒンジ金具２２に設けた軸孔２４とに軸心２５を挿通させて、胴体側ヒンジ金具２０と蓋体側ヒンジ金具２２とを軸着することで、取出口９に設けた蓋体を筒状胴体３の開口よりも外側に配置したことを特徴とする。これによると、平面板状の金属板を左右方向に折り曲げる板金加工によって製造したものを側面部材１に用いたことから、多品種少量生産体制下では各種ポストに応じた型が必要とされた従来技術における鋳造品の側面部材１に比べて、製造コストの低減化を図ることができる。更に、この側面部材１を構成部材とする筒状胴体３の前後の開口縁部分に剛性補強用の開口枠１０を設けたので、板金加工によって製造された側面部材１の欠点である低い剛性を上記剛性補強用の開口枠１０によって補強して向上させることができる。したがって、多品種少量生産に対応して製造コストの低減化が図られると共に充分な剛性を備えたポストを提供できるのである。また、この厚肉部１８と開口枠１０の補強リブ１１によって筒状胴体３の開口縁部分にはポストとして充分な剛性を備えることができる。また、ポストの下部に位置する部分の補強リブ１１は、ポストの上部に位置する部分の補強リブ１１に比べて、開口中心への突出量を小さくしているものの、突出先端で折り返しがされると共に２重に重ねるようにして肉厚を厚くするように形成されているから、剛性向上効果を図ることができる。また、ポストの下部に位置した補強リブ１１は突出量を小さくして形成されていることから、補強リブ収納溝２７の溝深さを小さくして胴体側ヒンジ金具２０の小型化を図ることができる。
【０００７】
また、筒状胴体３における取出口９にしない開口を塞ぐための蓋体を、開口枠１０の補強リブ１１に固定したことも好ましい。これによると、開口枠１０の剛性を高める補強リブ１１によって蓋体が固定できることから、開口枠１０の剛性向上と蓋体の固定構造の簡素化とを同時に図ることができる。
【０００８】
また、取出口９に設けた蓋体に投入口８を設けると共に、この投入口８の上部に庇片１２を前方に突設し、蓋体の開閉用の取っ手１３を上記庇片１２で構成したことも好ましい。これによると、投入口８を設けた蓋体を筒状胴体３の取出口９に開閉自在にした場合に、投入口８への雨水の侵入を防止する庇片１２を蓋体の開閉用の取っ手１３として使用でき、つまり、庇片１２と取っ手１３とが兼用されたことで別々に庇片１２及び取っ手１３を設けないで済むものであり、ポストの構成の簡素化が図られる。
【０００９】
また、投入口８を設けた蓋体に、投入口８からポストの内部に侵入した雨水を受けて滴り落とす樋部材１４を上記蓋体の内部に設け、上記樋部材１４から滴り落ちた雨水をポストの外方に流す排水口１５を設けたことも好ましい。これによると、投入口８からポスト内部に雨水が侵入しても、上記侵入した雨水は樋部材１４を伝って排水口１５からポスト外にすみやかに排水されるものであり、ポスト内に侵入した雨水がポスト内に溜まるといったことが回避される。
【００１０】
また、ポストの上部を構成する側面部材１の上面を覆う屋根部材１６を被せて取付け、上記屋根部材１６の端部を側面部材１よりも外方に突出させたことも好ましい。これによると、ポストに降りかかる雨水を屋根部材１６で受けて、ポスト下方に滴り落とすことができ、ポスト内への雨水の侵入の防止に資することができる。
【００１１】
また、筒状胴体３の取出口９を開閉する蓋体の枢支側と反対の自由端には蓋体側錠取付材４５をポスト外に突出するように取り付けると共に、筒状胴体３の開口枠１０には胴体側錠取付材４０をポスト外に突出するように取り付け、この蓋体が取出口９を閉じた状態で、蓋体側錠取付材４５と胴体側錠取付材４０とが重なり合うようにすると共に、蓋体側錠取付材４５及び胴体側錠取付材４０にそれぞれ設けた錠通し孔４３，４８を連通するようにしたことも好ましい。これによると、取出口９を閉じた状態の蓋体にあっては、蓋体側錠取付材４５及び胴体側錠取付材４０の連通状態の錠通し孔４３，４８に錠を通すことで、ポストに錠をつけることができる。そして、このポストにつけた錠Ｃを引っ張ったりして胴体側錠取付材４０や蓋体側錠取付材４５に大きな負荷がかかったときにも、胴体側錠取付材４０は筒状胴体３の強度補強をする開口枠１０に取り付けられているので、この負荷による筒状胴体３への変形等の損傷を軽微に抑えることができるのである。
【００１２】
【発明の実施の形態】
以下、本発明を添付図面に示す実施形態に基づいて説明する。
【００１３】
図１乃至図５に本発明の実施の形態の例を示す。このポストは、前後に開口した筒状胴体３で主体が構成され、この筒状胴体３の前部開口４に前部蓋体６を取付けると共に、該筒状胴体３の後部開口５に後部蓋体７を取付けて全体が構成されたポストであって、ここで、後部蓋体７は筒状胴体３の後部開口５を塞ぐように固定され、また、前部蓋体６にはポスト内に郵便物等を投入する投入口８を設けると共に、この前部蓋体６は筒状胴体３の前部開口４の縁部分に枢支されて該前部開口４を開け閉め自在にし、この前部開口４をポスト内に投入された郵便物等の取り出しに用いる取出口９とした、いわゆる前入れ前出しタイプのポストである。以下、詳述する。
【００１４】
ポストの主体を構成する筒状胴体３は、図５に示すように、縦断面略逆Ｕ字状の側面部材１と平面板状の底面部材２とから構成されたもので、この側面部材１の左右両端の下端部分でそれぞれフランジ部１７を水平内方に折り曲げて形成し、このフランジ部１７の上面を底面部材２の下面に当接すると共に、この当接したフランジ部１７と底面部材２とをリベット等の固着具や溶接手段等で固着することで形成されるものである。つまりこの筒状胴体３は、側面部材１の下端部分に底面部材２を一体にして形成される前後に開口した筒状体である。ここで、この側面部材１は、金属板を左右方向に折り曲げする板金加工によって縦断面略逆Ｕ字板状に形成されている。この金属板の板金加工によって側面部材１を形成することによると、寸法等が異なる多品種のポストを生産する際には各種ポストに合わせて金属板の大きさを変えたり、板金加工における曲げ位置や曲げ具合等を調節すればよいことから、多品種少量生産に容易に対応させることが可能なのである。つまり、多品種少量生産体制下では各種ポストに応じて型が必要になっていた従来技術の鋳造品の側面部材１に比べて、本例の板金加工による側面部材１は、多品種少量生産下での製造コストの大幅な低減化を図ることができるのである。しかしながら、板金加工により形成された側面部材１は、従来の鋳造により形成された側面部材１に比べて、外力によってへこんだりするといった剛性の欠如という欠点を有する。したがって、本例の側面部材１を構成部材とする筒状胴体３では剛性の向上を図るため、この筒状胴体３の前後の開口縁部分にそれぞれ剛性補強用の開口枠１０を設けているのである。
【００１５】
この剛性補強用の開口枠１０は、筒状胴体３の開口４，５の内周縁の全周に亘るように固定され、この筒状胴体３の開口４，５の内周縁への固定部分から該開口中心方向に剛性補強用の補強リブ１１を突設して構成されたリング状の枠体である。なお、本例の開口枠１０は、平板帯状の金属板を材料とし、この金属板を板金加工することで上述した所定の形状に形成されるものである。この開口枠１０の所定形状への形成は、開口枠１０の筒状胴体３への固定と略同時に以下のように行われる。まず、平板帯状の開口枠１０における一端の長辺部分を、筒状胴体３の開口の内周面の全周に沿わせて位置させる。次に、この開口枠１０と筒状胴体３との重なり合う部位を、上記開口枠１０と筒状胴体３とを重ねた状態で幾重にも折り曲げるシーミング加工によって固定する。更に、未だ加工が施されずに板状のままの開口枠１０の他端の長辺部分を、筒状胴体３の開口の内方に折り曲げて剛性補強用の補強リブ１１を形成させることで行われる。ここで、開口枠１０の筒状胴体３への固定部分には、シーミング加工により開口枠１０と筒状胴体３とが幾重にも折り重なる厚肉部１８が形成される。この厚肉部１８と開口枠１０の補強リブ１１によって筒状胴体３の開口縁部分にはポストとして充分な剛性が備えられるようになっている。
【００１６】
更に言うと、筒状胴体３の開口縁に亘って設けられる開口枠１０の補強リブ１１は、ポストの上部に位置する部分と下部に位置する部分では形状が異なるように形成されている。ポストの上部に位置する部分の補強リブ１１は、ポストの下部に位置する部分の補強リブ１１に比べて、開口中心への突出量が大きく形成されて剛性向上効果が図られている。また、ポストの下部に位置する部分の補強リブ１１は、後述する胴体側ヒンジ金具２０の装着を容易にするように、ポストの上部に位置する部分の補強リブ１１に比べて、開口中心への突出量を小さくしているものの、突出先端で折り返しがされると共に２重に重ねるようにして肉厚を厚くするように形成されていて剛性向上効果が図られている。また、このように金属板を曲げ加工することで開口枠１０を形成させることは、異なる大きさの筒状胴体３にも金属板の長さを合わせるだけで容易に対応して筒状胴体３に開口枠１０を設けることができることから、この構造の開口枠１０は多品種少量生産に対して有用なものと言える。
【００１７】
上記構成を有した筒状胴体３の前後の開口４，５にそれぞれ蓋体６，７が取付けられることで、函状のポストが形成される。なお、ポストには、郵便物を前部から投入してこの郵便物を前部から取出すタイプ（前入れ前出しタイプ）のものや、郵便物を前部から投入してこの郵便物を後部から取出すタイプ（前入れ後出しタイプ）のものがあるが、これは蓋体の種類やこの蓋体の筒状胴体３への取付状態（固定、回動自在）によって決定されるものである。本例のポストは上述したように前入れ前出しタイプのポストである。
【００１８】
前入れ前出しタイプの本例のポストは、筒状胴体３の前部開口４には前部蓋体６を開け閉め自在に枢支すると共にこの前部蓋体６に投入口８を設け、また、筒状胴体３の後部開口５には後部蓋体７を固定してある。詳述すると、後部蓋体７は、図４（ｂ）に示すように、平面板状の部材であって、筒状胴体３の後部開口５の内面に沿うような外周形状に形成してあり、筒状胴体３の後部開口５を塞ぐように配置固定される。ここで、この後部蓋体７の両板面のうちポスト内を向く面を裏面とすると、筒状胴体３の後部開口５に配置した後部蓋体７は裏面の周縁部分が、筒状胴体３の後部開口５に設けた開口枠１０の補強リブ１１に当接し、この当接した後部蓋体７と補強リブ１１とが複数個のビス１９によりビス止めされることで、後部蓋体７の筒状胴体３の後部開口５への固定が行われる。なお、開口枠１０の補強リブ１１と後部蓋体７とは前後方向に重なる構造になっていることから、筒状胴体３の開口縁の内周形状よりも後部蓋体７の外周形状が多少小さく形成されても、後部蓋体７による後部開口５の閉塞を可能とする構造になっている。
【００１９】
また、前部蓋体６は、図４（ａ）に示すように、筒状胴体３の後部開口５の内面に沿うような外周形状に形成すると共に、その上部に水平且つ左右方向に長い矩形孔状の投入口８を設けて構成されたものである。そして、この前部蓋体６は、表面がポストの外側を向くと共に裏面がポストの内側を向くようにして筒状胴体３の前部開口４に配置され、筒状胴体３の前部開口４を開け閉め自在にしてこの前部開口４を取出口９にするように、筒状胴体３の前部開口４に回動自在に枢支されている。
【００２０】
この前部蓋体６の筒状胴体３の前部開口４への枢支構造は、図２に示すように、筒状胴体３の底面部材２の前端部分において左右方向の複数箇所に胴体側ヒンジ金具２０をビス２１を用いてそれぞれ取付けると共に、前部蓋体６の下端部分において左右方向の複数箇所に蓋体側ヒンジ金具２２をビス２３を用いてそれぞれ取付け、そしてこの胴体側ヒンジ金具２０及び蓋体側ヒンジ金具２２に設けた軸孔２４に軸芯２５を挿通することで、前部蓋体６が筒状胴体３に対して上下方向に回動自在に枢支されている。そして更に、この軸芯２５にコイルバネ状のバネ２６を巻き付け、このバネ２６の始端及び終端を前部蓋体６及び筒状胴体３にそれぞれ引掛けて固定することで、上記バネ２６の付勢によって前部蓋体６が上方に回動されて筒状胴体３の前部開口４を閉じる状態になるように構成されている。ここで、胴体側ヒンジ金具２０には、筒状胴体３の開口に設けた開口枠１０の補強リブ１１を避ける補強リブ収納溝２７が形成されている。上述したようにポストの下部に位置した補強リブ１１は突出量を小さくして形成されていることから補強リブ収納溝２７の溝深さを小さくして胴体側ヒンジ金具２０の小型化が図られているのである。また、筒状胴体３の前部開口４の上部には、金属製の前部蓋体６に磁着するマグネットキャッチャー２８が臨むように配置されており、上記マグネットキャッチャー２８によって前部開口４を閉じた状態の前部蓋体６が保持されるようになっている。なお、このマグネットキャッチャー２８は、筒状胴体３の前部開口４の上部に位置する補強リブ１１に装着されている。
【００２１】
上述した前部蓋体６によると、筒状胴体３の前部開口４を開閉自在にし、この前部開口４をポスト内に投函された郵便物等が取り出される取出口９としているのであるが、使用者が前部蓋体６を下方に回動させて筒状胴体３の前部開口４を開けるには、該使用者は後述する投入口８への雨水の侵入を防止する庇片１２を掴んで、バネの付勢に抗って前部蓋体６を下方に回動させることで行われる。このように庇片１２を蓋体の開閉用の取っ手１３として使用する、つまり庇片１２と取っ手１３とを兼用することで、別々に庇片１２や取っ手１３を設けないで済むものであり、ポストの構成の簡素化が図られているのである。
【００２２】
また、上記投入口８には雨水のポスト内への侵入を防止するいくつかの工夫が為されている。つまり、前部蓋体６の表面における投入口８の上縁には投入口８への雨水の降り込みを防止する庇片１２が前方に突設され、また、投入口８の下縁には後方斜め上方に突設された水受け斜片３０が形成され、更には、投入口８を開閉自在にするフラップ３１が設けられている。ここで、このフラップ３１は、前部蓋体６の裏面における投入口８の上部部分でヒンジ構造３２により上下に回動自在に設けられ、上記ヒンジ構造３２が備えるバネ３３の付勢によってフラップ３１が投入口８を閉じる状態になるように構成されている。つまり、フラップ３１は、投函する郵便物によって押されることで上方に回動して投入口８を開け、それ以外のときにはバネ３３の付勢によって投入口８を閉じた状態にさせるのである。なお、投入口８を閉じたフラップ３１はその下端部分が水受け斜片３０の突出先端部分に当接した状態になっている。
【００２３】
上記のように投入口８にはポスト内への雨水の侵入を防ぐ工夫がされているものの、フラップ３１に雨水が当たってこのフラップ３１に沿って上記雨水が流下した場合等には、当接するフラップ３１と水受け斜片３０との間からポスト内に雨水が侵入することもあり得る。この雨水のポスト内への侵入に対しても本例では対処が為されている。つまり、投入口８からポスト内に侵入した雨水を受けて滴り落とす樋部材１４を前部蓋体６の裏面における投入口８の下部部分に備えると共に、この樋部材１４から滴り落ちた雨水をポスト外に流す排水口１５を樋部材１４の下方に位置する前部蓋体６の下端部に設けている。この樋部材１４は、水受け斜片３０に当接したフラップ３１よりも後方位置から前方位置に亘って配置される水受け部３４を有し、この水受け部３４で投入口８からポスト内に侵入した雨水を漏れなく受けるようにしてあり、また、上記水受け部３４に連続して下方に伸びる流下部３５を有し、上記水受け部３４で受けた雨水を下方に滴り落とすようにして構成されている。また、排水口１５は上記樋部材１４の流下部３５の直下位置に設けることが、すみやかな排水が期待されて好ましいものである。本例ではこの排水口１５は前部蓋体６の下端部分に設けられているが、場合によっては筒状胴体３の底面部材２等に設けてもよい。このように、本例のポストは、たとえ投入口８からポスト内に雨水が侵入したとしても、上記侵入した雨水は樋部材１４を伝って排水口１５からポスト外にすみやかに排水されるようにしてあり、したがって、ポスト内に侵入した雨水がポスト内に溜まってしまうことは無く、ポスト内に投函された郵便物等の雨水による濡れなどを無くすることが図られているのである。
【００２４】
なお、上述した構成のポストの上部には、ポストに降りかかる雨水を受ける屋根部材１６が被せて取付けられ、ポスト内への雨水の侵入の防止効果を高めている。つまり、この屋根部材１６はその端部がポストの左右及び前後にそれぞれ突出するように設けられており、直接ポストに雨水が降りかかるのを防止しているのである。なお、側面部材１は金属平板を曲げるといった板金加工によって形成したものであって、側面部材１の折り曲げ部分には場合によっては加工痕が形成される恐れもあるが、この屋根部材１６によって上記側面部材１の折り曲げ部分の上面を覆うようにすると、この屋根部材１６で側面部材１の折り曲げ部分を目隠しでき、ポストの外観の向上を図ることができるのである。
【００２５】
図６及び図７には本発明の実施の形態の他例を示す。この例のポストは、郵便物を前部から投入してこの郵便物を後部から取出すタイプ（前入れ後出しタイプ）のポストである。すなわち、図５で示した筒状胴体３の前部開口４に前部蓋体６を固定すると共にこの前部蓋体６に投入口８を備え、また、筒状胴体３の後部開口５に後部蓋体７を回動自在に枢支して後部開口５を開け閉め自在にし、この後部開口５を取出口９としたものである。
【００２６】
前部蓋体６は、先の実施の形態の例と同様のものを用いており、この前部蓋体６を筒状胴体３の前部開口４に位置させたときには、裏面の後方に突設したボス部３６を開口枠１０の補強リブ１１に当接し、このボス部３６と補強リブ１１とをビス１９によって固定することで、前部蓋体６の筒状胴体３への固定が行われる。また、後部蓋体７は図７に示すようなものであり、先の実施の形態の例における前部蓋体６と筒状胴体３との枢支構造と同様にして、筒状胴体３の後部開口５に上下方向に回動自在に装着される。なお、筒状胴体３の外側に面する後部蓋体７の表面には、使用者が後部蓋体７を回動させるための取っ手１３が取付けられている。
【００２７】
上述した構成の前入れ後出しタイプのポストにあっても、板金加工した金属板からなる側面部材１を有した筒状胴体３がポストの主体を構成していると共に、この筒状胴体３の前後の開口４，５にはそれぞれ開口枠１０が設けられているので、先の実施の形態の例と同様に、ポストとして充分な剛性を備えることができると共に、従来技術のポストに比べて多品種少量生産における製造コストの低減化が図られているのは言うまでもない。
【００２８】
なお、上記実施の形態の例、他例における開口枠１０は、筒状胴体３と別個の金属帯板状の開口枠１０を筒状胴体３に取付けるようになっているが、本例の筒状胴体３を構成する底面部材２及び側面部材１はそれぞれ平板状の金属板を材料としていることから、たとえば、この筒状胴体３の開口縁部分を直接曲げ加工し、筒状胴体３に剛性を持たせるような開口枠状の構造に形成しても好ましいものである。
【００２９】
また、図８乃至図１３には本発明の実施の形態の更に他例を示す。この例では、筒状胴体３の開口４，５を開閉する蓋体（前出しタイプのポストでは前部蓋体６、後出しタイプのポストでは後部蓋体７が該当）が筒状胴体３の取出口９を閉じた状態で開かないようにさせるため、蓋体と筒状胴体３との間に南京錠のような錠Ｃを取り付けた例である。以下の説明では、前入れ前出しタイプのポストを図示して説明する。
【００３０】
ポストに錠Ｃを取り付けるにあたっては、図１１に示す胴体側錠取付材４０と、図１２に示す蓋体側錠取付材４５とを用いて行う。胴体側錠取付材４０は、略垂直な縦片部４１の上端で横片部４２を略水平に突出して側面視略Ｌ字状の主体が構成され、横片部４２の突出先端部分に上方に凸の凸状部４２ａを設けると共に、この凸状部４２ａに上下に貫通する錠通し孔４３を形成し、縦片部４１に１対の挿通孔４４を形成したものである。また、蓋体側錠取付材４５は、略垂直な縦片部４６の上端で横片部４７を略水平に突出して側面視Ｌ字状の主体が構成され、横片部４７の突出先端部分に上下に貫通する錠通し孔４８を形成すると共に、縦片部４６に１対の挿通孔４９を形成したものである。
【００３１】
上記胴体側錠取付材４０は筒状胴体３の前部開口６に設けた開口枠１０に取り付けられる。図５に示すように、開口枠１０の補強リブ１１のうち、ポストの上部に位置する補強リブ１１の上端近傍部分には１対の貫通孔３７が形成されているが、胴体側錠取付材４０の筒状胴体３への取り付けは、この貫通孔３７や図１３に示す取付け板５０を用いて行われる。なお、この取付け板５０は平板状部材であり、内周面に１対のめねじ孔５１が形成されている。具体的に、補強リブ１１の外面には縦片部４１を、該補強リブ１１の内面には取付け板４８をそれぞれ沿わせて配置して、貫通孔３７、挿通孔４４及び固定孔４９の位置を合わせて連通した状態にし、そして、この貫通孔３７、挿通孔４４及びめねじ孔５１にねじ５２を挿入・螺合させることで、胴体側錠取付材４０の筒状胴体３への取り付けが行われる。このように筒状胴体３に取り付けられた胴体側錠取付材４０は、その横片部４２が筒状胴体３の前部開口４の上縁部分に沿ってポスト外方（前方）に突出するようになっている。
【００３２】
また、上記蓋体側錠取付材４５は、前部開口４の開口縁の下端部分に枢支して前部開口４を開閉する前部蓋体６に取り付けられる。具体的に、前部蓋体６の裏面に縦片部４６を沿わせると共に前部蓋体６の上縁部に横片部４７を沿わせるように配置し、前部蓋体６の裏面の上端近傍部分に設けためねじ孔３８に縦片部４６の挿通孔４９の位置合わせをし、挿通孔４９及びめねじ孔３８にねじ５３を挿入・螺合させることで、蓋体側錠取付材４５の前部蓋体６への取り付けが行われる。なお、本例の前部蓋体６の上縁部分には下方に凹設した切欠き５４が設けられていて、この切欠き５４内に横片部４７が位置されている。このように前部蓋体６に取り付けられた蓋体側錠取付材４５は、その横片部４７が前部蓋体６からポスト外方（前方）に略水平に突出するようになっている。そして、この前部蓋体６が筒状胴体３の前部開口４に閉じたときには、図９，１０に示すように、前部蓋体６の切欠き５４から胴体側錠取付材４０の横片部４２及び蓋体側錠取付材４５の横片部４７が並行して前方に重なり合うように突出し、横片部４２の錠通し孔４３及び横片部４７の錠通し孔４８が対向位置に位置されて連通した状態になるのである。
【００３３】
このように、対向して連通状態になった錠通し孔４３及び錠通し孔４８には南京錠などの錠Ｃが挿通して取り付けられ、これにより、ポストに錠をつけてポスト使用者のプライバシーの保護を図ることができるようになる。なお、上述したように本例のポストに錠Ｃをつけた際には、この錠Ｃを前方に引っ張ったりしてポストの破壊をたくらむ者がいたとしても、ポストへの損傷は軽微に抑えることができるのである。すなわち、錠通し孔４３，４８に挿通した錠Ｃを前方に引っ張ったり、上方から叩いたりしても、胴体側錠取付材４０や蓋体側錠取付材４５が変形したり前方蓋材６や筒状胴体３から取れて落ちたりするので、前方蓋体６や筒状胴体３への損傷の恐れを小さくさせているのである。特に胴体側錠取付材４０は筒状胴体３の強度補強を為す開口枠１０に取り付けていることから、筒状胴体３への損傷の恐れは更に小さくされているのである。また、胴体側錠取付材４０や蓋体側錠取付材４５は切欠き５４内を挿通することから、錠Ｃを左右に揺らして引っ張ったりしても、この左右への負荷は前方蓋体６で受けることができ、したがって前方蓋体６は犠牲になるおそれはあるものの、筒状胴体３への損傷の恐れは小さくされているのである。ここで、筒状胴体３はポストの主体を構成するものであり、図９，１０に示すようにポストが地面などの土台５５に立設した柱材５６に固定された場合にはまだしもよいが、たとえばポストが壁などに埋設された場合にはポストの特に筒状胴体３の取り替えはかなりの困難を伴うものである。本例の錠Ｃをつけたポストでは、基本的に筒状胴体３への損傷の恐れがポストの他の構成部材に比べて一番小さくなるようにしているので、ポスト補修にかかる経済性を低く抑えることが図られていると言える。
【００３４】
更に言うと、この胴体側錠取付材４０や蓋体側錠取付材４５は簡単に後付けできるものであることから、ポスト使用者の必要に応じてポストへの錠Ｃの取り付けが行えるといった利点を有しており、また、蓋体側錠取付材４５の取り付けの際には前部蓋体６に形成した切欠き５４に合わせて取り付けられるので、蓋体側錠取付材４５の前部蓋体６への取り付けにかかる位置決めを容易に行えるといった利点も有しており、また、ポストに取り付けた胴体側錠取付材４０や蓋体側錠取付材４５はポストの取出口９の開口縁部分に位置するので、ポスト内から郵便物等を取り出す際に邪魔にならないといった利点も有している。
【００３５】
なお、上述した例では前入れ前出しタイプのポストについて説明したが、勿論、前入れ後出しタイプのポストにも適用できる。この場合には、筒状胴体３の後部開口５に胴体側錠取付材４０を取り付けると共に、後部開口５を開閉する後部蓋体７に蓋体側錠取付材４５を取り付け、各錠通し孔４３，４８に南京錠などの錠Ｃを取り付けるものである。この場合でも上記例同様の効果が得られるのは言うまでもない。
【００３６】
【発明の効果】
上記のように本発明の請求項１記載のポストにあっては、平板状の金属板を折り曲げて縦断面略逆Ｕ字状にした側面部材の底部に平面板状の底面部材を取付けて前後に開口した筒状胴体を形成し、この筒状胴体の前後の開口にそれぞれ取り付ける蓋体のうち、少なくとも一方の蓋体に投入口を設けると共に、少なくとも一方の蓋体をその下端部分に取り付けた蓋体側ヒンジ金具と底面部材に取り付けた胴体側ヒンジ金具との軸着によって筒状胴体の開口に開閉自在に設けてこの開口を取出口にしたポストにおいて、筒状胴体の前後の開口縁に金属板を板金加工してなる剛性補強用の開口枠を設け、この開口枠の一端を上記筒状胴体の前後の開口の内周面に重ねた状態にしてシーミング加工をすることで、開口枠と筒状胴体とが幾重にも折り重なる厚肉部を形成しつつ開口枠を筒状胴体の開口の全周に亙って固定し、開口枠の全周に亙って突設した剛性補強用の補強リブにおけるポストの下部に位置する部分を、その突出先端で折り返して２重に重ねて肉厚を厚くすることで、ポストの上部に位置する補強リブに比べて開口中心への突出量を小さく形成し、このポストの下部に位置する補強リブが内部に位置される補強リブ収納溝を胴体側ヒンジ金具に形成して胴体側ヒンジ金具の一端を筒状胴体の外方部分に位置させ、この筒状胴体の外方部分に位置する胴体側ヒンジ金具の部位に軸孔を設け、この胴体側ヒンジ金具の軸孔と蓋体側ヒンジ金具に設けた軸孔とに軸心を挿通させて、胴体側ヒンジ金具と蓋体側ヒンジ金具とを軸着することで、取出口に設けた蓋体を筒状胴体の開口よりも外側に配置したので、多品種少量生産体制下では各種ポストに応じて型が必要になっていた従来技術の鋳造により製造された側面部材に比べて、多品種少量生産体制下での製造コストの大幅な低減化を図ることができるものであり、また、筒状胴体の前後の開口縁に剛性補強用の開口枠を設けたので、平板状の金属板を折り曲げて製造された側面部材の欠点である低い剛性を上記剛性補強用の開口枠によって補強して向上させることができ、したがって、充分な剛性を備えると共に製造コストの低減化を図ることができるポストを提供できるのである。加えて、厚肉部と開口枠の補強リブによって筒状胴体の開口縁部分にはポストとして充分な剛性を備えることができる。また、ポストの下部に位置する部分の補強リブは、ポストの上部に位置する部分の補強リブに比べて、開口中心への突出量を小さくしているものの、突出先端で折り返しがされると共に２重に重ねるようにして肉厚を厚くするように形成されているから、剛性向上効果を図ることができる。また、ポストの下部に位置した補強リブは突出量を小さくして形成されていることから、補強リブ収納溝の溝深さを小さくして胴体側ヒンジ金具の小型化を図ることができる。
【００３７】
また、請求項２記載のポストにあっては、請求項１の効果に加えて、筒状胴体における取出口にしない開口を塞ぐための蓋体を、開口枠の補強リブに固定したので、開口枠の剛性を高める補強リブによって蓋体を固定でき、したがって、開口枠の剛性向上と蓋体の筒状胴体への固定構造の簡素化とを同時に図ることができるのである。
【００３８】
また、請求項３記載のポストにあっては、請求項１の効果に加えて、取出口に設けた蓋体に投入口を設けると共に、この投入口の上部に庇片を前方に突設し、蓋体の開閉用の取っ手を上記庇片で構成したので、投入口を設けた蓋体を筒状胴体の取出口に開閉自在にした場合に、投入口への雨水の侵入を防止する庇片を蓋体の開閉用の取っ手として使用でき、つまり、庇片と取っ手とが兼用されたことで、別個に庇片及び取っ手を設けないで済み、ポストの構成の簡素化を図ることができるのである。
【００３９】
また、請求項４に記載のポストにあっては、請求項１の効果に加えて、投入口を設けた蓋体に、投入口からポストの内部に侵入した雨水を受けて滴り落とす樋部材を上記蓋体の内部に設け、上記樋部材から滴り落ちた雨水をポストの外方に流す排水口を設けたので、投入口からポスト内に雨水が侵入しても、上記侵入した雨水を樋部材を伝わせて排水口からポスト外に排水させることができ、したがって、ポスト内に侵入した雨水がポスト内に溜まるようなことは無く、ポスト内に投函された郵便物等の雨水による濡れなどを無くすることができる。
【００４０】
また、請求項５に記載のポストにあっては、請求項１の効果に加えて、ポストの上部を構成する側面部材の上面を覆う屋根部材を被せて取付け、上記屋根部材の端部を側面部材よりも外方に突出させたので、ポストに降りかかる雨水を屋根部材で受けてポスト下方に滴り落とすことができ、ポスト内部への雨水の侵入の防止に資することができる。更に言うと、側面部材の曲げ加工した部分を上記屋根部材で覆い被すと、この側面部材の曲げ加工部分を目隠ししてポストの外観の向上を図ることができる。
【００４１】
また、請求項６に記載のポストにあっては、請求項１の効果に加えて、筒状胴体の取出口を開閉する蓋体の枢支側と反対の自由端には蓋体側錠取付材をポスト外に突出するように取り付けると共に、筒状胴体の開口枠には胴体側錠取付材をポスト外に突出するように取り付け、この蓋体が開口を閉じた状態で、蓋体側錠取付材と胴体側錠取付材とが重なり合うようにすると共に、蓋体側錠取付材及び胴体側錠取付材にそれぞれ設けた錠通し孔を連通するようにしたので、この錠通し孔に錠を通すことでポストに錠をつけることができる。また、この錠を引っ張ったりして胴体側錠取付材や蓋体側錠取付材に大きな負荷をかけた場合にも、胴体側錠取付材は筒状胴体の強度補強をする開口枠に取り付けているので、この負荷による筒状胴体への変形等の損傷を軽微に抑えることができるのであり、つまり、取り替えのしにくい筒状胴体の保護を図ることができるのである。
【図面の簡単な説明】
【図１】本発明の実施の形態の例を示すものであって、（ａ）はポストの正面断面図であり、（ｂ）は（ａ）のＡ部分の拡大図である。
【図２】図１（ａ）のＢ部分の拡大図である。
【図３】図１（ａ）の下面図である。
【図４】（ａ）は図１（ａ）の左側面図であり、（ｂ）は図１（ａ）の右側面図である。
【図５】同上のポストを構成する筒状胴体を示すものであって、（ａ）は正面断面図であり、（ｂ）は下面図であり、（ｃ）は左側面図であり、（ｄ）は右側面図である。
【図６】本発明の実施の形態の他例を示すポストの正面断面図である。
【図７】同上のポストの後部蓋体を示すものであり、（ａ）は正面図であり、（ｂ）は上面図であり、（ｃ）は右側面図である。
【図８】本発明の実施の形態の更に他例を示すポストの概略斜視図である。
【図９】同上のポストの正面断面図である。
【図１０】図９のポストの左側面図である。
【図１１】同上の胴体側錠取付材であり、（ａ）は正面断面図であり、（ｂ）は上面図であり、（ｃ）は左側面図である。
【図１２】同上の蓋体側錠取付材であり、（ａ）は正面断面図であり、（ｂ）は上面図であり、（ｃ）は左側面図である。
【図１３】同上の取付けであり、（ａ）は正面図であり、（ｂ）は上面図であり、（ｃ）は右側面図である。
【図１４】従来技術のポストを示すものであって、（ａ）は正面断面図であり、（ｂ）は（ａ）の下面図である。
【図１５】（ａ）は図１４（ａ）の左側面図であり、（ｂ）は図１４（ａ）の右側面図である。
【符号の説明】
１  側面部材
２  底面部材
３  筒状胴体
４  前部開口
５  後部開口
６  前部蓋体
７  後部蓋体
８  投入口
９  取出口
１０  開口枠
１１  補強リブ
１２  庇片
１３  取っ手
１４  樋部材
１５  排水口
１６  屋根部材
【図１】
0004058979.tif 000002
【図２】
0004058979.tif 000003
【図３】
0004058979.tif 000004
【図４】
0004058979.tif 000005
【図５】
0004058979.tif 000006
【図６】
0004058979.tif 000007
【図７】
0004058979.tif 000008
【図８】
0004058979.tif 000009
【図９】
0004058979.tif 000010
【図１０】
0004058979.tif 000011
【図１１】
0004058979.tif 000012
【図１２】
0004058979.tif 000013
【図１３】
0004058979.tif 000014
【図１４】
0004058979.tif 000015
【図１５】
0004058979.tif 000016